(57)【要約】【課題】  プラントの監視を行うにあたり運転員の負担を軽減できるプラント監視装置を提供することである。【解決手段】  運転員から対話入出力機器２を通して対話要求があったとき、対話機能記憶編集手段６により、運転員からの要求された対話機能の対話機能インデックスを時系列に対話機能記憶テーブル７に記憶するとともに、対話要求回数順に対話機能インデックス及び最終対話要求時刻を対話機能要求回数記憶テーブル８に記憶する。サムネイル部品作成手段９は、対話機能要求回数記憶テーブル８の内容にサムネイル表示情報を付加してサムネイル部品としてサムネイル部品記憶テーブル１０に記憶し、運転員が過去に要求した対話機能の要求回数の多い順に、サムネイル部品記憶テーブル１０に記憶されているサムネイル部品に基づいて対話入出力機器２にその対話機能をサムネイル表示する。【選択図】図１
2005216068.tif 000002
【特許請求の範囲】
【請求項１】
運転員からの対話要求の入出力を行う対話入出力機器への入出力を行う対話入出力手段と、要求された対話機能を実行する対話機能実行手段と、前記対話入出力手段で要求された対話機能を判定し要求された対話機能を前記対話機能実行手段に通知する対話要求判定手段とを備えたプラント監視装置において、前記対話入出力手段で要求された対話機能の対話機能インデックスを時系列に対話機能記憶テーブルに記憶するとともに対話要求回数順に対話機能インデックス及び最終対話要求時刻を対話機能要求回数記憶テーブルに記憶する対話機能記憶編集手段と、前記対話機能要求回数記憶テーブルの内容を入力しその内容にサムネイル表示を行うためのサムネイル表示情報を付加してサムネイル部品としてサムネイル部品記憶テーブルに記憶するサムネイル部品作成手段とを備え、前記対話入出力手段は、前記サムネイル部品記憶テーブルに記憶されているサムネイル部品に基づいて対話機能の要求回数の多い順に前記対話入出力機器にその対話機能をサムネイル表示することを特徴とするプラント監視装置。
【請求項２】
プラントのイベント変化判定条件及びそのイベント変化時に対話要求すべき対話機能の対話機能インデックスを定義したイベント判定情報テーブルと、イベント変化時に対話要求すべき対話機能の対話機能インデックスを記憶するイベント表示情報記憶テーブルと、プラント情報と前記イベント判定情報テーブルのイベント変化判定条件とを入力しイベント変化を判定した場合に対話要求すべき対話機能の対話機能インデックスを前記イベント表示情報記憶テーブルに記憶すると共に前記サムネイル部品作成手段に通知するイベント判定手段とを備え、前記対話入出力手段は、プラントのイベントに最適な対話機能を前記対話入出力機器にサムネイル表示することを特徴とする請求項１記載のプラント監視装置。
【請求項３】
前記対話機能要求回数記憶テーブル及び前記サムネイル部品記憶テーブルに個々の対話機能の属性を追加して記憶させ、前記対話入出力手段からサムネイル表示する対話機能の属性が入力されたとき、前記サムネイル部品記憶テーブルに記憶された属性の一致するサムネイル部品だけを選択するサムネイルフィルタ手段を備え、前記対話入出力手段は、前記サムネイルフィルタ手段で選択されたサムネイル部品のみを前記対話入出力機器にサムネイル表示することを特徴とする請求項１記載のプラント監視装置。
【請求項４】
前記対話入出力機器にサムネイル表示している対話機能の中からハードコピー要求が選択された対話機能の対話機能インデックスをサムネイルハードコピー記憶テーブルに記憶するとともに、前記対話入出力手段で入力した対話要求がサムネイルハードコピー記憶テーブルに記憶された対話機能であるときはハードコピー要求を行うサムネイルハードコピー変換手段を備えたことを特徴とする請求項１記載のプラント監視装置。
【請求項５】
前記サムネイル部品記憶テーブルの内容を他の装置に記憶及び入力するサムネイルオンライン更新手段を備えたことを特徴とする請求項１記載のプラント監視装置。
【請求項６】
前記対話入出力機器に表示する画面を左上／左下／右上／右下の４つの区画に分割しそれぞれの区画で対話表示する対話機能インデックスを記憶する対話機能合成記憶テーブルと、画面を左上／左下／右上／右下の４つの区画に分割した際にそれぞれの区画で対話表示する対話機能をサムネイル表示している対話機能の中から選択し前記対話機能合成記憶テーブルに記憶するサムネイル合成手段とを備え、前記対話要求判定手段は、前記対話入出力手段で入力した対話要求が対話機能４区画表示要求であった場合には前記対話機能合成記憶テーブルを参照して前記対話機能実行手段に対し４回の対話機能実行の通知を行うことを特徴とする請求項１記載のプラント監視装置。
【請求項７】
音声判定条件及びその音声認識時に対話要求すべき対話機能の対話機能インデックスを定義した音声判定情報テーブルと、音声認識時に対話要求すべき対話機能の対話機能インデックスを記憶する音声要求表示情報記憶テーブルと、前記対話入出力機器から入力される音声情報と前記音声判定情報テーブルの音声判定条件とを入力し、音声判定条件と一致する音声入力ありと判定した場合に対話要求すべき対話機能の対話機能インデックスを前記音声要求表示情報記憶テーブルに記憶すると共に前記サムネイル部品作成手段に通知する音声判定手段とを備えたことを特徴とする請求項１記載のプラント監視装置。
【請求項８】
装置停止時に装置停止の通知を前記サムネイルオンライン更新手段に送る装置停止通知手段を備え、前記サムネイルオンライン更新手段は、前記装置停止通知手段から装置停止の通知を受けることによって前記サムネイル部品記憶テーブルの内容を他の装置に出力することを特徴とする請求項５記載のプラント監視装置。
【請求項９】
前記サムネイルフィルタ手段は、前記サムネイル部品記憶テーブルに記憶された対話機能の属性の指定だけでなく、前記対話入出力機器から入力された対話要求回数や最終対話要求時刻や属性等の範囲指定及び組合せ指定に基づいて、その条件に一致するサムネイル部品だけを選択し、前記対話入出力手段は、前記サムネイルフィルタ手段で選択されたサムネイル部品のみを前記対話入出力機器にサムネイル表示することを特徴とする請求項３記載のプラント監視装置。
【請求項１０】
前記サムネイル部品記憶テーブルに記憶された対話機能のサムネイル部品に付箋情報を登録する付箋情報作成手段を備えたことを特徴とする請求項１記載のプラント監視装置。
【発明の詳細な説明】
【技術分野】
【０００１】
本発明は、対話入出力機器に系統図を表示してプラントを監視するプラント監視装置に関する。
【背景技術】
【０００２】
近年の発電プラントでは、数千から数万の入力点を表示装置を用いて系統図化して表示したり、操作そのものをＣＲＴオペレーション化するなど対話機能技術を用いて運転するプラント監視装置が採用されている。
【０００３】
図１９は、そのような発電プラントのプラント監視装置の構成図である。運転員は対話入出力機器２を操作して監視画面を対話入出力機器２に表示する。対話入出力機器２は、例えばＣＲＴ表示装置２ａ、キーボード２ｂ、タッチスクリーン２ｃ、音声入出力装置２ｄ、マウス２ｅ等から構成されており、キーボード２ｂやマウス２ｅ等の入力装置から監視を実施する系統図の表示要求を対話入出力手段３に入力する。
【０００４】
対話入出力手段２は運転員からの系統図の表示要求を入力すると、その表示要求を対話要求判定手段４に通知する。対話要求判定手段４は、入力された表示要求に対応する対話機能を判定し、該当する対話機能の実行を対話機能実行手段５に実行させるべく通知する。対話機能実行手段５では、対話要求判定手段４から通知された対話機能を実行し、目的とする系統図を対話入出力機器２のＣＲＴ表示装置２ａに表示出力する。
【０００５】
このような従来のプラント監視装置では、運転員が監視を行う系統図を選択する場合、数百画面もある対話機能のメニューから毎回選択しなければならないため、運転員の負担が大きい。
【０００６】
運転員の操作を軽減させるものとして、例えば、運転員の操作端ごとの操作履歴データの表示要求により、操作端の操作履歴データを検索し、検索された操作端の操作履歴データを操作履歴出力データとして編集して、その操作端の操作履歴出力データを表示装置に表示し、運転員が所望する履歴データに到達するまでの操作負荷を軽減できるようにしたオペレーション装置がある（例えば、特許文献１参照）。また、操作端指令履歴データの実行要求回数をカウントアップさせ、操作端指令履歴データの実行要求回数が多い順に並びかえ、実行要求回数の多い順に選別可能にした複数の操作端ウインドウをまとめて並べて出力装置へ表示させるようにしたものがある（例えば、特許文献２参照）。
【特許文献１】特開平９−６２３４１号公報（図１）
【特許文献２】特開平１０−２５４５３１号公報
【発明の開示】
【発明が解決しようとする課題】
【０００７】
しかし、このようなプラント監視装置では、運転員が監視を行う系統図を選択するものではなく、操作履歴出力データはリストあるいは操作端ウインドウで一覧表示されるので、直感的に分かり難いものである。また、プラントの運転にあってはプラント状態は時々刻々変化しており、プラント状態の変化があったときは監視項目も多いので、監視画面を選択し表示するまでの操作に大きな負担をかけることは好ましくない。
【０００８】
発明の目的は、プラントの監視を行うにあたり運転員の負担を軽減できるプラント監視装置を提供することである。
【課題を解決するための手段】
【０００９】
本発明のプラント監視装置は、運転員から対話入出力機器を通して対話要求があったときは、対話機能記憶編集手段により、運転員からの要求された対話機能の対話機能インデックスを時系列に対話機能記憶テーブルに記憶するとともに、対話要求回数順に対話機能インデックス及び最終対話要求時刻を対話機能要求回数記憶テーブルに記憶する。また、サムネイル部品作成手段により、対話機能要求回数記憶テーブルの内容にサムネイル表示を行うためのサムネイル表示情報を付加してサムネイル部品としてサムネイル部品記憶テーブルに記憶する。そして、運転員が過去に要求した対話機能の要求回数の多い順に、サムネイル部品記憶テーブルに記憶されているサムネイル部品に基づいて対話入出力機器にその対話機能をサムネイル表示する。また、必要に応じて、サムネイル部品記憶テーブルの内容を他の装置に記憶及び入力するサムネイルオンライン更新手段を備える。
【発明の効果】
【００１０】
本発明によれば、サムネイル表示により運転員が過去に要求した要求回数の多い対話機能が表示できるので、運転員は直感的に監視すべき系統図等の監視画面を認識することができる。従って、監視画面である系統図等を選択する負担を軽減することができる。また、サムネイル情報を他の装置と共用することにより、他の装置でも同じサムネイル表示をすることができ、運転員にとって他の装置においても同一の環境で操作することができる。
【発明を実施するための最良の形態】
【００１１】
図１は本発明の実施の形態に係わるプラント監視装置の構成図である。図１９に示した従来のプラント監視装置の対話入出力手段３、対話要求判定手段４及び対話機能実行手段５に加えて、対話機能記憶編集手段６〜付箋情報作成手段２４が追加されている。
【００１２】
まず、対話機能記憶編集手段６と対話機能記憶テーブル７と対話機能要求回数記憶テーブル８とサムネイル部品作成手段９とサムネイル部品記憶テーブル１０が追加して設けられている。対話機能記憶編集手段６は、対話入出力手段３で要求された対話機能の対話機能インデックスを時系列に対話機能記憶テーブル７に記憶するとともに対話要求回数順に対話機能インデックス及び最終対話要求時刻を対話機能要求回数記憶テーブル８に記憶する。また、サムネイル部品作成手段９は、対話機能要求回数記憶テーブル８の内容を入力し、その内容にサムネイル表示を行うためのサムネイル表示情報を付加してサムネイル部品としてサムネイル部品記憶テーブル１０に記憶する。
【００１３】
そして、対話入出力手段３は、サムネイル部品記憶テーブル１０に記憶されているサムネイル部品に基づいて、過去に要求した対話機能の要求回数の多い順に、対話入出力機器２にその対話機能をサムネイル表示する。つまり、過去に要求した対話機能を要求回数の多い順にサムネイル表示し、これを選択することで運転員が対話機能を要求できるようになっている。
【００１４】
次に、プラントのイベントに最適な対話機能をサムネイル表示し、これを選択することで運転員が対話機能を要求することができるようにするため、イベント判定手段１１、イベント判定情報テーブル１２及びイベント表示情報記憶テーブル１３が追加して設けられている。
【００１５】
イベント判定情報テーブル１２にはプラント１のイベント変化判定条件及びそのイベント変化時に対話要求すべき対話機能の対話機能インデックスを定義したイベント判定情報が格納されている。また、イベント表示情報記憶テーブル１３にはイベント変化時に対話要求すべき対話機能の対話機能インデックスが記憶されている。イベント判定手段１１は、プラント１からのプラント情報とイベント判定情報テーブル１２のイベント変化判定条件とを入力し、イベント変化を判定した場合に対話要求すべき対話機能の対話機能インデックスをイベント表示情報記憶テーブル１３に記憶すると共にサムネイル部品作成手段９に通知する。そして、対話入出力手段３は、プラント１のイベントに最適な対話機能を対話入出力機器２にサムネイル表示する。
【００１６】
また、サムネイル表示する対象をフィルタリングするためにサムネイルフィルタ手段１４が追加して設けられている。例えば、要求する属性の対話機能のみをサムネイル表示するために、対話機能要求回数記憶テーブル８及びサムネイル部品記憶テーブル１０に個々の対話機能の属性を追加して記憶させておく。サムネイルフィルタ手段１４は、対話入出力手段３からサムネイル表示する対話機能の属性が入力されたとき、サムネイル部品記憶テーブル１０に記憶された属性の一致するサムネイル部品だけを選択し、対話入出力手段３は、サムネイルフィルタ手段１４で選択されたサムネイル部品のみを対話入出力機器２にサムネイル表示する。
【００１７】
サムネイルフィルタ手段１４はサムネイル部品記憶テーブル１０に記憶された対話機能の属性の指定だけでなく、対話入出力機器２から入力された対話要求回数や最終対話要求時刻や属性等の範囲指定及び組合せ指定に基づいて、その条件に一致するサムネイル部品だけを選択する。対話入出力手段３は、サムネイルフィルタ手段１４で選択されたサムネイル部品のみを対話入出力機器２にサムネイル表示する。運転員はサムネイル表示を選択することで対話機能を要求することができる。
【００１８】
さらに、サムネイル表示している対話機能の中から複数の機能を選択してハードコピー要求をすることができるようにするため、サムネイルハードコピー記憶テーブル１５及びサムネイルハードコピー変換手段１６が設けられている。
【００１９】
サムネイルハードコピー変換手段１６は、対話入出力機器２にサムネイル表示している対話機能の中からハードコピー要求が選択された対話機能の対話機能インデックスをサムネイルハードコピー記憶テーブル１５に記憶するとともに、対話入出力手段３で入力した対話要求がサムネイルハードコピー記憶テーブル１５に記憶された対話機能であるときはハードコピー要求を行う。
【００２０】
さらにまた、サムネイル部品記憶テーブル１０の内容を他の装置３１に記憶及び入力するためにサムネイルオンライン更新手段１７及び装置停止通知手段２３が追加して設けられている。装置停止通知手段２３は、装置停止時に装置停止の通知をサムネイルオンライン更新手段１７に通知し、サムネイルオンライン更新手段１７は他の装置３１にサムネイル部品記憶テーブル１０の内容を出力し、また他の装置３１から他の装置３１のサムネイル部品記憶テーブルの内容を入力し、サムネイル部品記憶テーブル１０に記憶する。これにより、他の装置３１とサムネイル部品記憶テーブル１０を共用できる。
【００２１】
さらにまた、サムネイル表示されている対話機能を選択して合成し、一度の操作で複数の対話機能を実行できるようにするため、対話機能合成記憶テーブル１８及びサムネイル合成手段１９が追加して設けられている。
【００２２】
対話機能合成記憶テーブル１８には、対話入出力機器２に表示する画面を左上／左下／右上／右下の４つの区画に分割しそれぞれの区画で対話表示する対話機能インデックスが記憶されている。サムネイル合成手段１９は、画面を左上／左下／右上／右下の４つの区画に分割した際に、それぞれの区画で対話表示する対話機能をサムネイル表示している対話機能の中から選択し対話機能合成記憶テーブル１８に記憶する。そして、対話要求判定手段４は、対話入出力手段３で入力した対話要求が対話機能４区画表示要求であった場合には、対話機能合成記憶テーブル１８を参照して対話機能実行手段５に対し４回の対話機能実行の通知を行う。これにより、サムネイル表示されている対話機能を選択して合成し、一度の操作で複数の対話機能を実行することができる。
【００２３】
さらにまた、音声入力された条件に最適な対話機能をサムネイル表示し、これを選択することで運転員が対話機能を要求することができるようにするため、音声判定手段２０、音声判定情報テーブル２１及び音声要求表示情報記憶テーブル２２が追加して設けられている。音声判定情報テーブル２１には、音声判定条件及びその音声認識時に対話要求すべき対話機能の対話機能インデックスを定義した音声判定情報が記憶されており、音声要求表示情報記憶テーブル２２には、音声認識時に対話要求すべき対話機能の対話機能インデックスが記憶されている。
【００２４】
そして、音声判定手段２０は、対話入出力機器２から入力される音声情報と音声判定情報テーブル２１の音声判定条件とを入力し、音声判定条件と一致する音声入力ありと判定した場合に対話要求すべき対話機能の対話機能インデックスを音声要求表示情報記憶テーブル２２に記憶すると共に、サムネイル部品作成手段９に通知する。サムネイル部品作成手段９はサムネイル部品記憶テーブル１０にその情報を記憶する。対話入出力手段３は、サムネイル部品記憶テーブル１０に記憶されているサムネイル部品に基づいて、対話入出力機器２にその対話機能をサムネイル表示する。音声入力された条件に最適な対話機能をサムネイル表示し、運転員はこのサムネイル表示を選択することで対話機能を要求できる。
【００２５】
さらにまた、サムネイル表示する対話機能に付箋情報を登録しこれを表示するために、付箋情報作成手段２４が追加して設けられている。付箋情報作成手段２４は、対話入出力機器２からの運転員の入力情報により、サムネイル部品記憶テーブル１０に記憶された対話機能のサムネイル部品に付箋情報を登録する。
【００２６】
図２は対話機能記憶テーブル７の説明図である。対話機能記憶編集手段６は対話入出力手段３で要求された対話機能について対話要求時刻と対話機能インデックスとを時系列順に対話機能記憶テーブル７に記憶する。ここで、対話機能インデックスとは、対話機能を区別するための一意の番号である。
【００２７】
図３は対話機能要求回数記憶テーブル８の説明図である。対話機能記憶編集手段６は対話入出力手段３で要求された対話機能について、対話機能の要求回数の多い順に対話要求回数と対話機能インデックス及び最終対話要求時刻を対話機能要求回数記憶テーブル８に記憶する。
【００２８】
図４はサムネイル部品記憶テーブル１０の説明図である。サムネイル部品作成手段９は、対話機能要求回数記憶テーブル８に記憶されている要求頻度の高い順の対話要求回数と対話機能インデックス及び最終対話要求時刻を抽出し、各対話機能に対応するサムネイルを表示するためのサムネイル表示情報を付加してサムネイル部品記憶テーブル１０に記憶する。
【００２９】
図５は対話入出力手段３により対話入出力機器２の表示装置に表示されるサムネイル表示画面２５の説明図である。サムネイル表示画面２５には、各対話機能のサムネイル３２を表示するとともに、過去の対話要求回数及び最終対話要求時刻も表示される。
【００３０】
対話入出力手段３は、サムネイル部品記憶テーブル１０に記憶されているサムネイル表示情報と対話要求回数及び最終対話要求時刻を対話入出力機器２に表示し、運転員は対話入出力機器２に表示されたサムネイル表示画面２５上でサムネイル表示されている対話機能を選択することで、希望する対話機能を要求し系統図を表示することになる。このように、過去の対話要求頻度順にサムネイル３２を表示し、運転員がこれを選択して対話機能を要求して系統図表示を行うので、運転員が系統図を選択する負担を軽減することができる。
【００３１】
次に、図６はイベント判定情報テーブル１２の説明図であり、図７はイベント表示情報記憶テーブル１３の説明図である。イベント判定情報テーブル１２にはプラントのイベント発生を判定するためのイベント変化判定条件３３が記憶されており、このイベント変化判定条件３３が成立したときに必要となる対話機能のインデックスがそれぞれ記憶されている。イベント判定手段１１は、イベント判定情報テーブル１２に保存されているすべてのイベント変化判定条件３３を入力し、それぞれのイベント変化判定条件３３が成立しているか否かの判定を行う。そして、条件が成立している場合には対応する対話機能インデックスをイベント表示情報記憶テーブル１３に記憶する。
【００３２】
サムネイル部品作成手段９は、イベント表示情報記憶テーブル１３に記憶されている対話機能インデックスを抽出し、各対話機能に対応するサムネイルを表示するためのサムネイル表示情報を付加してサムネイル部品記憶テーブル１０に記憶する。また、対話機能要求回数記憶テーブル８を参照し、対応する対話機能の対話機能インデックスを検索し、存在する場合には対話要求回数と最終対話要求時刻とをサムネイル部品記憶テーブル１０に記憶する。
【００３３】
対話入出力手段３は、サムネイル部品記憶テーブル１０に記憶されているサムネイル表示情報と対話要求回数及び最終対話要求時刻を対話入出力機器２に表示し、運転員は対話入出力機器２に表示されたサムネイル表示画面２５上でサムネイル表示されている対話機能を選択することで、希望する対話機能を要求し系統図を表示する。このように、プラントイベントに対応するサムネイルを表示し、運転員がこれを選択して対話機能を要求して系統図表示を行うので、イベント発生時において運転員が系統図を選択する負担を軽減することができる。
【００３４】
次に、サムネイルフィルタ手段１４により、サムネイル表示する対象を属性でフィルタリングする場合について説明する。まず、対話機能要求回数記憶テーブル８及びサムネイル部品記憶テーブル１０に個々の対話機能の属性を追加して記憶させておく。
【００３５】
図８は、その場合の対話機能要求回数記憶テーブル８の説明図である。図３に示した対話機能要求回数記憶テーブル８に対し「属性」項が追加して設けられている。また、図９はサムネイル部品記憶テーブル１０の説明図であり、同様に、図４に示したサムネイル部品記憶テーブル１０に対し「属性」項が追加して設けられている。
【００３６】
サムネイル部品作成手段９は、対話機能要求回数記憶テーブル８に記憶されている要求頻度の高い順の対話要求回数と対話機能インデックスと最終対話要求時刻及び属性を抽出し、各対話機能に対応するサムネイルを表示するためのサムネイル表示情報を付加してサムネイル部品記憶テーブル１０に記憶する。
【００３７】
サムネイルフィルタ手段１４は、対話入出力手段３からサムネイル表示する対話機能の属性が入力されたとき、サムネイル部品記憶テーブル１０に記憶された属性の一致するサムネイル部品だけを選択し、対話入出力手段３は、サムネイルフィルタ手段１４で選択されたサムネイル部品のみを対話入出力機器２にサムネイル表示する。
【００３８】
図１０は、対話入出力手段３が対話入出力機器２に表示する属性別サムネイル表示画面２６の説明図である。属性別サムネイル表示画面２６には、選択した属性を表示し、各対話機能のサムネイルを表示するとともに各々の対話機能の過去の対話要求回数と最終対話要求時刻とサムネイルを表示する。
【００３９】
対話入出力手段３は、サムネイルフィルタ手段１４から通知されたサムネイル表示情報を対話入出力機器２に表示し、運転員は対話入出力機器２に表示された属性別サムネイル表示画面２６上で対話機能を選択することで、希望する対話機能を要求し、系統図を表示する。このように、希望する属性情報によってフィルタ処理したサムネイルを表示し、運転員がこれを選択して対話機能を要求して系統図表示を行うことで、運転員が系統図を選択する負担を軽減することができる。
【００４０】
次に、サムネイル表示している対話機能の中から複数の機能を選択してハードコピー要求をする場合について説明する。図１１は、サムネイルハードコピー記憶テーブル１５の説明図である。対話入出力手段３は、サムネイル表示中に対話入出力機器２に表示されているサムネイルの中からハードコピー採取する対話機能を選択し、選択した対話機能インデックスをサムネイルハードコピー変換手段１６に通知する。サムネイルハードコピー変換手段１６は、通知された対話機能インデックスをサムネイルハードコピー記憶テーブル１５に記憶する。サムネイルハードコピー変換手段１６は、その後サムネイルハードコピー記憶テーブル１５に記憶している対話機能インデックス毎に対話機能を要求して系統図表示を行うとともにハードコピー要求を繰り返し実行する。
【００４１】
このように、サムネイル表示している対話機能の中から選択した対話機能のみの系統図表示及びハードコピーを繰り返し行うことで、運転員が系統図を選択してハードコピーを実施する負担を軽減することができる。
【００４２】
次に、サムネイル部品記憶テーブル１０の内容を他の装置３１に記憶及び入力する場合について説明する。サムネイルオンライン更新手段１７は、他の装置３１にサムネイル部品記憶テーブル１０の内容を出力し、また他の装置３１から他の装置３１のサムネイル部品記憶テーブルの内容を入力する。装置停止通知手段２３は、装置停止時に装置停止の通知をサムネイルオンライン更新手段１７に通知し、サムネイルオンライン更新手段１７は、他の装置３１にサムネイル部品記憶テーブル１０の内容を出力し、また他の装置３１から他の装置３１のサムネイル部品記憶テーブルの内容を入力する。このように、自装置及び他装置で作成した任意の時点のサムネイル部品記憶テーブル１０を共用して使用することにより、運転員が系統図を選択する負担を軽減することができる。
【００４３】
次に、サムネイル表示されている対話機能を選択して合成し、一度の操作で複数の対話機能を実行できるようにする場合について説明する。図１２は、対話機能合成記憶テーブル１８の説明図であり、左上／左下／右上／右下の４つの表示位置毎に対話機能インデックスとサムネイル表示情報を記憶する。図１３は、対話入出力機器２に表示する画面を左上／左下／右上／右下の４つの区画に分割しそれぞれの区画で対話表示する対話機能インデックスを記憶するための対話機能合成操作画面２７の説明図である。対話入出力機器２にサムネイル及び４つの区画の割り付け画面を表示し、左上／左下／右上／右下の４つの区画に対話表示する対話機能をサムネイルから選択し４つの区画に割付を行う。
【００４４】
サムネイル合成手段１９は、４つの区画の対話機能インデックスとサムネイル表示情報を対話機能合成記憶テーブル１８に記憶し、対話入出力手段３で入力した対話要求が対話機能４区画表示要求であった場合に対話要求判定手段４は対話機能合成記憶ーブル１８を参照して対話機能実行手段５に対し４回の対話機能実行の通知を行い、４つの区画それぞれにおいて対応する対話機能を実行する。このように、４つの区画で対話要求を行う際にサムネイルを選択して組合せすることで運転員が系統図を選択する負担を軽減することができる。
【００４５】
次に、音声入力された条件に最適な対話機能をサムネイル表示し、これを選択することで運転員が対話機能を要求する場合について説明する。図１４は音声判定情報テーブル２１の説明図であり、図１５は音声要求表示情報記憶テーブル２２の説明図である。
【００４６】
音声判定手段２０は、音声判定情報テーブル２１に保存されているすべての音声判定条件を入力し、対話入出力機器２によって入力された音声情報にしたがってそれぞれの条件判定を行い、条件が成立している場合には対応する対話機能インデックスを音声要求表示情報記憶テーブル２２に記憶する。
【００４７】
サムネイル部品作成手段９は、音声要求表示情報記憶テーブル２２に記憶されている対話機能インデックスを抽出し、各対話機能に対応するサムネイルを表示するためのサムネイル表示情報を付加してサムネイル部品記憶テーブル１０に記憶する。また、対話機能要求回数記憶テーブル８を参照し、対応する対話機能の対話機能インデックスを検索し、存在する場合には対話要求回数と最終対話要求時刻をサムネイル部品記憶テーブル１０に記憶する。
【００４８】
対話入出力手段３は、サムネイル部品記憶テーブル１０に記憶されているサムネイル表示情報と対話要求回数及び最終対話要求時刻を対話入出力機器２に表示し、運転員は対話入出力機器２に表示されたサムネイル表示画面２５上でサムネイル表示されている対話機能を選択することで、希望する対話機能を要求し系統図を表示する。このように、音声に対応するサムネイルを表示し、運転員がこれを選択して対話機能を要求して系統図表示を行うことで、運転員が系統図を選択する負担を軽減することができる。
【００４９】
ここで、サムネイルフィルタ手段１４はサムネイル部品記憶テーブル１０に記憶された対話機能の属性によりフィルタリングするだけでなく、対話入出力機器２から入力された対話要求回数や最終対話要求時刻や属性等の範囲指定及び組合せ指定に基づいて、その条件に一致するサムネイル部品だけを選択してフィルタリングをする。
【００５０】
図１６は、その場合の対話要求回数や最終対話要求時刻や属性等の範囲指定及び組合せ指定を行うフィルタ設定操作画面２８の説明図である。フィルタ設定操作画面２８では、要求回数の範囲指定と最終対話要求時刻の範囲指定と属性の選択を行う。
【００５１】
サムネイルフィルタ手段１４は、対話入出力手段３から、要求回数の範囲指定と最終対話要求時刻の範囲指定と属性の選択結果を入力するとともにサムネイル部品記憶テーブル１０を入力し、条件の一致するサムネイル部品だけを選択して対話入出力手段３に通知する。
【００５２】
対話入出力手段３は、サムネイルフィルタ手段１４から通知されたサムネイル表示情報と対話要求回数及び最終対話要求時刻を対話入出力機器２に表示し、運転員は対話入出力機器２に表示された属性別サムネイル表示画面２６上で対話機能を選択することで、希望する対話機能を要求し、系統図を表示する。このように、希望する要求回数の範囲指定と最終対話要求時刻の範囲指定と属性情報によってフィルタ処理したサムネイルを表示し、運転員がこれを選択して対話機能を要求して系統図表示を行うことで、運転員が系統図を選択する負担を軽減することができる。
【００５３】
次に、サムネイル表示する対話機能に付箋情報を登録しこれを表示する場合について説明する。図１７は、対話入出力手段３が対話入出力機器２に表示する付箋情報の登録・表示を行う付箋情報登録表示サムネイル表示画面２９の説明図である。図１７（ａ）は各対話機能のサムネイルに付箋ボタン３４が付いていることを示している。この状態でサムネイルに付箋情報を登録するには付箋ボタン３４を選択し、図１７（ｂ）に示すように付箋情報登録画面３０を表示させ、ここで付箋情報を入力し登録する。図１８は、その場合のサムネイル部品記憶テーブル１０の説明図であり、図９に示すサムネイル部品記憶テーブル１０の内容に付箋情報が追加されている。
【００５４】
対話入出力手段３は、サムネイル部品記憶テーブル１０に記憶されている付箋情報を図１７（ａ）に示すように表示するとともに、付箋ボタンが選択されされた場合には図１７（ｂ）に示す付箋情報登録画面３０を表示し、登録要求があった場合には付箋情報を付箋情報作成手段２４に通知する。付箋情報作成手段２４は、付箋情報が入力されたときに、サムネイル部品記憶テーブル１０の対応する対話機能の付箋情報として記憶する。このように、サムネイル表示されている対話機能に付箋情報を登録し表示することによって、運転員が系統図を選択する際の補助情報を任意に設定可能であり、運転員が系統図を選択する負担を軽減することができる。
【図面の簡単な説明】
【００５５】
【図１】本発明の実施の形態に係るプラント監視装置の構成図。
【図２】本発明の実施の形態における対話機能記憶テーブルの説明図。
【図３】本発明の実施の形態における対話機能要求回数記憶テーブルの説明図。
【図４】本発明の実施の形態におけるサムネイル部品記憶テーブルの説明図。
【図５】本発明の実施の形態における対話入出力手段が対話入出力機器に表示するサムネイル表示画面の説明図。
【図６】本発明の実施の形態におけるイベント判定情報テーブルの説明図。
【図７】本発明の実施の形態におけるイベント表示情報記憶テーブルの説明図。
【図８】本発明の実施の形態における対話機能要求回数記憶テーブルの説明図。
【図９】本発明の実施の形態におけるサムネイル部品記憶テーブルの説明図。
【図１０】本発明の実施の形態における対話入出力手段が対話入出力機器に表示する属性別サムネイル表示画面の説明図。
【図１１】本発明の実施の形態におけるサムネイルハードコピー記憶テーブルの説明図。
【図１２】本発明の実施の形態における対話機能合成記憶テーブルの説明図。
【図１３】本発明の実施の形態における対話入出力機器に表示する画面を左上／左下／右上／右下の４つの区画に分割しそれぞれの区画で対話表示する対話機能インデックスを記憶するための対話機能合成操作画面の説明図。
【図１４】本発明の実施の形態における音声判定情報テーブルの説明図。
【図１５】本発明の実施の形態における音声要求表示情報記憶テーブルの説明図。
【図１６】本発明の実施の形態におけるサムネイルフィルタ手段で対話要求回数や最終対話要求時刻や属性等の範囲指定及び組合せ指定を行うフィルタ設定操作画面の説明図。
【図１７】本発明の実施の形態における対話入出力手段が対話入出力機器に表示する付箋情報の登録・表示を行うサムネイル表示画面の説明図。
【図１８】本発明の実施の形態におけるサムネイル部品記憶テーブルの説明図。
【図１９】従来のプラント監視装置の構成図。
【符号の説明】
【００５６】
１…プラント、２…対話入出力機器、３…対話入出力手段、４…対話要求判定手段、５…対話機能実行手段、６…対話機能記憶編集手段、７…対話機能記憶テーブル、８…対話機能要求回数記憶テーブル、９…サムネイル部品作成手段、１０…サムネイル部品記憶テーブル、１１…イベント判定手段、１２…イベント判定情報テーブル、１３…イベント表示情報記憶テーブル、１４…サムネイルフィルタ手段、１５…サムネイルハードコピー記憶テーブル、１６…サムネイルハードコピー変換手段、１７…サムネイルオンライン更新手段、１８…対話機能合成記憶テーブル、１９…サムネイル合成手段、２０…音声判定手段、２１…音声判定情報テーブル、２２…音声要求表示情報記憶テーブル、２３…装置停止通知手段、２４…付箋情報作成手段、２５…サムネイル表示画面、２６…属性別サムネイル表示画面、２７…対話機能合成操作画面、２８…フィルタ設定操作画面、２９…付箋情報登録表示サムネイル表示画面、３０…付箋情報登録画面、３１…他の装置、３２…サムネイル、３３…イベント変化判定条件、３４…付箋ボタン
【図１】
2005216068.tif 000003
【図２】
2005216068.tif 000004
【図３】
2005216068.tif 000005
【図４】
2005216068.tif 000006
【図５】
2005216068.tif 000007
【図６】
2005216068.tif 000008
【図７】
2005216068.tif 000009
【図８】
2005216068.tif 000010
【図９】
2005216068.tif 000011
【図１０】
2005216068.tif 000012
【図１１】
2005216068.tif 000013
【図１２】
2005216068.tif 000014
【図１３】
2005216068.tif 000015
【図１４】
2005216068.tif 000016
【図１５】
2005216068.tif 000017
【図１６】
2005216068.tif 000018
【図１７】
2005216068.tif 000019
【図１８】
2005216068.tif 000020
【図１９】
2005216068.tif 000021